(57)【要約】【課題】  通常のアスペクト比からなる画像を撮像する機能を有しながらも、１６：９のアスペクト比で受信映像を表示することが可能な携帯型電子機器等を提供する。【解決手段】  放送視聴モードとカメラ画像再生モードとのいずれのモード選択が検出されたか否かを判断する（Ｓ１１）。放送視聴モードの設定が検出された場合には、１６：９のアスペクト比をバッファエリアとして設定し（Ｓ１２）、アンテナ、チューナ等を起動させるとともに（Ｓ１３）、映像伸張処理部を起動させて（Ｓ１４）、表示部にアスペクト比１６：９からなる地上波デジタル放送の映像を表示させる（Ｓ１５）。一方、Ｓ１１での判断の結果、カメラ画像再生モードの選択が検出された場合には、４：３のアスペクト比をバッファエリアとして設定し（Ｓ２４）、撮像された記憶済の画像データに基づくアスペクト比４：３からなる画像を表示部に表示させる（Ｓ２５）。【選択図】    図７
2005142688.tif 000002
【特許請求の範囲】
【請求項１】
特定のアスペクト比を備える表示手段と、
デジタル放送を受信する受信手段と、
この受信手段によって受信された映像を前記表示手段に全画面表示させる第１の表示制御手段と、
撮像手段と、
この撮像手段によって撮像された画像を撮像サイズに対応するアスペクト比で前記表示手段に表示させる第２の表示制御手段と
を備えたことを特徴とする携帯型電子機器。
【請求項２】
前記撮像手段が有するレンズを開閉自在に覆うレンズバリアの開閉状態を検出する検出手段と、
この検出手段による検出結果に基づき、前記受信手段と前記撮影手段との動作を切り替える動作切替手段と
を備えたことを特徴とする請求項１記載の携帯型電子機器。
【請求項３】
特定のアスペクト比を備えた表示手段と、デジタル放送を受信する受信手段と、撮像手段とを備える携帯型電子機器における画像表示制御方法であって、
前記受信手段によって受信された映像を前記表示手段に全画面表示させる第１の表示制御工程と、
前記撮像手段によって撮像された画像を撮像サイズに対応するアスペクト比で前記表示手段に表示させる第２の表示制御工程と
を含むことを特徴とする画像表示制御方法。
【請求項４】
前記撮像手段が有するレンズを開閉自在に覆うレンズバリアの開閉状態を検出する検出工程と、
この検出工程での検出結果に基づき、前記受信手段と前記撮影手段との動作を切り替える動作切替工程と
更に含むことを特徴とする請求項３記載の画像表示制御方法。
【請求項５】
特定のアスペクト比を備えた表示手段と、デジタル放送を受信する受信手段と、撮像手段とを備える携帯型電子機器が有するコンピュータを、
前記受信手段によって受信された映像を前記表示手段に全画面表示させる第１の表示制御手段と、
前記撮像手段によって撮像された画像を撮像サイズに対応するアスペクト比で前記表示手段に表示させる第２の表示制御手段と
して機能させることを特徴とする画像表示制御プログラム。
【請求項６】
前記携帯型電子機器は、前記撮像手段が有するレンズを開閉自在に覆うレンズバリアの開閉状態を検出する検出手段を更に備え、
前記コンピュータを、前記検出手段による検出結果に基づき、前記受信手段と前記撮影手段との動作を切り替える動作切替手段として更に機能させることを特徴とする請求５記載の画像表示制御プログラム。
【発明の詳細な説明】
【技術分野】
【０００１】
本発明は、例えば１６：９のアスペクト比で構成された映像を表示する表示デバイスを備えた携帯型電子機器、画像表示制御方法及び画像表示制御プログラムに関する。
【背景技術】
【０００２】
昨今の携帯型電子機器には、その機能の多様化が要求されており、これに応ずべくテレビ放送を受信してその映像を表示することができるデジタルカメラも提案されるに至っている（例えば、特許文献１参照。）。
【特許文献１】特開２０００−２３００４号公報
【発明の開示】
【発明が解決しようとする課題】
【０００３】
しかしながら、一般にデジタルカメラ等の撮像機能を有する携帯型電子機器においては、撮像する静止画の画像サイズが４：３のアスペクト比からなることから、必然的に表示画面も同様のアスペクト比かならなるものが搭載される。したがって、前記公報記載のデジタルカメラにあっても、画像サイズ同様のアスペクト比でテレビ放送の映像を表示するようにしている。一方、地上波デジタル放送の場合、据え置き型受信機向け放送（ＨＤＴＶ放送）や、移動機（車載機）向け番組放送（ＳＤＴＶ放送）での映像受信は１６：９のアスペクト比が予定されていることから、前記従来技術が示すデジタルカメラでは、通常の４：３のアスペクト比の画像は支障なく表示させることは可能であるにしても、１６：９の映像を適正に表示させることはできない。
【０００４】
本発明はこのような問題点に鑑みてなされたものであり、通常のアスペクト比からなる画像を撮像する機能を有しながらも、１６：９のアスペクト比で映像を表示することが可能な携帯型電子機器、画像表示制御方法及び画像表示制御プログラムを提供することを目的とする。
【課題を解決するための手段】
【０００５】
前記課題を解決するため請求項１記載の発明に係る携帯型電子機器にあっては、特定のアスペクト比を備える表示手段と、デジタル放送を受信する受信手段と、この受信手段によって受信された映像を前記表示手段に全画面表示させる第１の表示制御手段と、撮像手段と、この撮像手段によって撮像された画像を撮像サイズに対応するアスペクト比で前記表示手段に表示させる第２の表示制御手段とを備える。すなわち、表示手段は特定のアスペクト比（例えば、１６：９のアスペクト比）を備えることから、この表示手段に受信したデジタル放送の映像が全画面表示されることにより、デジタル放送の映像を適正に表示することができる。また、前記撮像手段によって撮像される画像は、その撮像サイズに対応するアスペクト比（通常４：３）で表示手段に表示させることから、この携帯型電子機器が有する撮像手段により撮像した画像も支障なく表示することができる。
【０００６】
また、請求項２記載の発明に係る携帯型電子機器にあっては、前記撮像手段が有するレンズを開閉自在に覆うレンズバリアの開閉状態を検出する検出手段と、この検出手段による検出結果に基づき、前記受信手段と前記撮影手段との動作を切り替える動作切替手段とを備える。したがって、レンズバリアが閉じている状態では、ユーザが撮影を意図せずデジタル放送視聴するものと見なして、デジタル放送の映像をワイド画面で表示手段に表示させ、レンズバリアが開いている状態では、ユーザが撮影を意図するものと見なして、撮像手段によって撮像された画像を表示手段に表示させることができる。
【０００７】
また、請求項３記載の発明にあっては、特定のアスペクト比を備えた表示手段と、デジタル放送を受信する受信手段と、撮像手段とを備える携帯型電子機器における画像表示制御方法であって、前記受信手段によって受信された映像を前記表示手段に全画面表示させる第１の表示制御工程と、前記撮像手段によって撮像された画像を撮像サイズに対応するアスペクト比で前記表示手段に表示させる第２の表示制御工程とを含む。
【０００８】
また、請求項４記載の発明に係る画像表示制御方法にあっては、前記撮像手段が有するレンズを開閉自在に覆うレンズバリアの開閉状態を検出する検出工程と、この検出工程での検出結果に基づき、前記受信手段と前記撮影手段との動作を切り替える動作切替工程と更に含む。
【０００９】
したがって、請求項３、４記載した工程に従って処理を実行することにより、請求項１及び２記載の発明と同様の作用効果を奏する。
【００１０】
また、請求項５記載の発明に係る画像表示制御プログラムにあっては、特定のアスペクト比を備えた表示手段と、デジタル放送を受信する受信手段と、撮像手段とを備える携帯型電子機器が有するコンピュータを、前記受信手段によって受信された映像を前記表示手段に全画面表示させる第１の表示制御手段と、前記撮像手段によって撮像された画像を撮像サイズに対応するアスペクト比で前記表示手段に表示させる第２の表示制御手段として機能させる。
【００１１】
また、請求項６記載の発明に係る画像制御プログラムにあっては、前記携帯型電子機器は、前記撮像手段が有するレンズを開閉自在に覆うレンズバリアの開閉状態を検出する検出手段を更に備え、前記コンピュータを、前記検出手段による検出結果に基づき、前記受信手段と前記撮影手段との動作を切り替える動作切替手段として更に機能させる。
【００１２】
したがって、前記コンピュータが請求項５、６記載したこのプログラムに従って処理を実行することにより、請求項１、２記載の発明と同様の作用効果を奏する。
【発明の効果】
【００１３】
請求項１、３、５に係る発明によれば、表示手段は特定のアスペクト比を備えることから、この表示手段に受信したデジタル放送の映像を全画面表示することにより、デジタル放送の映像を適正に表示することができる。また、前記撮像手段によって撮像される画像は、その撮像サイズに対応するアスペクト比（通常４：３）で表示手段に表示させることから、この携帯型電子機器が有する撮像手段により撮像した画像も支障なく表示することができる。よって、通常のアスペクト比からなる画像を撮像する機能を有しながらも、特定のアスペクト比で映像を表示することが可能な携帯型電子機器を提供することができる。
【００１４】
また、請求項２、４、６に係る発明によれば、レンズバリアが閉じている状態では、ユーザが撮影を意図せずデジタル放送視聴するものと見なして、デジタル放送の映像をワイド画面で表示手段に表示させ、レンズバリアが開いている状態では、ユーザが撮影を意図するものと見なして、撮像手段によって撮像された画像を表示手段に表示させることができる。したがって、ユーザの意図に応じた表示切替を適切かつ適時に行うことができる。
【発明を実施するための最良の形態】
【００１５】
以下、本発明の一実施の形態を図に従って説明する。図１は、本発明の一実施の形態を用いたデジタル地上波放送システムを示すシステム構成図である。図示のように、本システムは、デジタル地上波放送システム（放送アンテナ２、放送局３、映像データベース４、）と、携帯型電子機器としてのデジタルカメラ１とで構成される。デジタルカメラ１は、撮像機能とデジタル地上波放送受信機能とを備えるものであり、詳細には図２に示すようなＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式により変調された一放送局あたり５．５７ＭＨｚの帯域（１セグメントあたり４２９ＫＨｚ）で１３セグメントに分割された搬送波のうち、少なくともＳＤＴＶ放送に対応するａの３セグメントの搬送波を受信できるよう、６４ＱＡＭ（Ｑｕａｄｒａｔｕｒｅ  Ａｍｐｌｉｔｕｄｅ  Ｍｏｄｕｌａｔｉｏｎ）変調方式でＭＰＥＧ−２  ＴＳ（トランスポート・ストリーム）方式で符号化された映像（１６：９の画面）が設定されている。
【００１６】
放送局３は、ゲートウェイサーバ３０を有し、ＷＷＷ５より得られたデジタル映像又は映像データベースに蓄積されたデジタル映像を前記ＯＦＤＭ方式で変調して、放送アンテナ２より配信する。
【００１７】
図３は、デジタルカメラ１の外観図である。デジタルカメラ１は横長長方形状であって、同図（ａ）（ｃ）に示すように裏面には、その中央部に表示部１１が配置され、表示部１１の両側には、ステレオスピーカ１２、１３（Ｌ（左）チャンネルスピーカ１２、Ｒ（右）チャンネルスピーカ１３）が設けられている。表示部１１は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。また、上面にはシャッターキー１４が配置され、一方の側面下部にはロータリースイッチ１５が配置されている。ロータリースイッチ１５は、上下回動移動検出によりメニュー表示等におけるフォーカス移動が実行され、中央押しで選択メニューの決定がなされる。
【００１８】
他方、デジタルカメラ１の正面には、同図（ｂ）（ｄ）に示すように、撮影の際にユーザーが把持するためのグリップ３４、レンズ１６０が配置されているともに、左右方向にスライド自在なレンズバリア１６が設けられている。グリップ３４は正面に対し滑らかな凸形状を模した樹脂製であり、その内部には、破線矩形部分で示される後述する地上波デジタル放送を受信するためのアンテナ１００、及びチューナ１８が格納されており、デジタルカメラ１の筐体全体が金属製であっても、受信に支障が無い様に配置されている。レンズバリア１６は、レンズ１６０を覆い矢印の方向にスライドさせると、レンズ１６０が露出する。また、後述するフローチャートに示すように、レンズ１６０を覆った状態ではビューワモードが設定され、レンズ１６０が露出するとビューワモードからカメラモードに切り替わる。
【００１９】
図４は、デジタルカメラ１の回路構成を示すブロック図である。前述のように、このデジタルカメラ１は、撮像機能とデジタル地上波放送受信機能とを併有するため、前記レンズ１６０、撮像デバイス３３、及びＤＳＰ３２からなる撮像機能部と、アンテナ１００、チューナ１８、Ａ／Ｄコンバータ１９、復調処理部２０、及び信号処理部２１とからなるデジタル放送受信用の各回路とを備える。
【００２０】
そして、後述するビューワモードであって放送視聴モードに移行した際には、デジタル放送用受信用の各回路に電源が供給され、チューナ１８がＲＦ信号を受信してＩＦ信号に周波数変換する。Ａ／Ｄコンバータ１９は、このＩＦ信号をサンプリング及び量子化して復調処理部２０に出力する。復調処理部２０はＡ／Ｄコンバータ１９より出力された、デジタルＩＦ信号を直交復調してその結果得られるベースバンドＯＦＤＭ信号から、ユーザのロータリースイッチ１５の操作を検出することにより選択された受信チャンネルに対応するサブキャリアに含まれるデータを抽出して、信号処理部２１に出力する。信号処理部２１は、復調処理部２０より出力されたデータ、詳細には図２に示される１３個のセグメントからなるデータから、３セグメント（ａの部分）のデータを抽出し、この変調方式に対応して復号方式で復号し、ＭＰＥＧ−２  ＴＳ方式で符号化された映像データを、順次バス１７を介して表示ドライバ３０のバッファ３１に送り出す。
【００２１】
制御部２９は、ビューワモードにおける放送視聴モードにより受信した映像データや音声データ、カメラモードにおける画像の再生表示処理、及び、カメラモードにおける撮影処理全般の制御を行う。プログラムＲＯＭ２８は、ビューワモード、カメラモード等の各処理プログラムを格納するとともに、後述のバッファ３１への書き込み開始／終了アドレスの制御を行う表示ドライバ３０の制御プログラムを記憶し、ユーザー操作により適宜制御部２９にロードされる。
【００２２】
ＲＡＭ２７は、デジタル放送受信や各種処理において必要とされる各種データを記憶するとともに、カメラモードにて撮影された画像を圧縮処理された状態で記憶する画像メモリや、各種データの圧縮処理、伸張処理の際に一時的に使用するためのワークメモリ等を備える。画像圧縮伸張処理部２２は、ＪＰＥＧに対応し、カメラモードにて撮影された画像を圧縮処理する。
【００２３】
オーディオ信号処理部２４は、ＡＡＣ（Ａｄｖａｎｃｅｄ  Ａｕｄｉｏ  Ｃｏｏｄｉｎｇ）デコーダであって、受信したデジタル放送データに含まれているＬＲオーディオデータを復号し、ＬＲアナログオーディオ信号を各々アンプ２５、２６に出力する。スピーカ１２、１３は、増幅されたＬＲアナログオーディオ信号により駆動されて、ＬＲ各音声を再生する。
【００２４】
また、バス１７には、前記シャッターキー１４及びロータリースイッチ１５が接続されているともに、レンズバリア検出部１６１が接続されている。制御部２９は、シャッターキー１４及びロータリースイッチ１５の操作情報を取り込み、レンズバリア検出部１６１は、図３に示したレンズバリア１６の開閉状態を検出し、制御部２９に出力する。
【００２５】
前記レンズ１６０の後段には、ＣＣＤ、若しくはＣＭＯＳ等のイメージセンサーと光学ズーム用のステップモータからなる撮像デバイス３３と、この撮像デバイス３３で撮り込まれたアナログ信号をデジタル信号に変換し、イメージデータを生成するためのＤＳＰ３２とが備えられている。本実施の形態におけるイメージセンサーの有効画素領域は４：３のアスペクト比に固定されている。
【００２６】
なお、本実施の形態においては、画像圧縮伸張処理部２２とは別に映像伸張処理部２３が設けられている。画像圧縮伸張処理部２２は、一義的にカメラモードにて撮影された画像を圧縮処理し、一方、映像伸張処理部２３はデジタル放送の受信による前記映像データを伸張処理するＭＰＥＧ−２ＴＳ方式対応のデコーダを含んでいる。
【００２７】
図５は、前記表示ドライバ３０の詳細を示すブロック図である。表示ドライバ３０は、前記バッファ３１とともに、読み出しタイミング制御回路３０１、書き込み領域割当回路３０２、画像表示用ドライバ（ソース線側、アスペクト比１６：９）３０３、画像表示用ドライバ（ソース線側、アスペクト比４：３）３０４、及びドライバ（ゲート線側）３０５を備えている。読み出しタイミング制御回路３０１には、表示部１１に表示させる表示データに同期して、表示タイミングを制御するためのタイミング情報が制御部２９より入力される。ここで、前記表示データは、映像データ（地上波デジタル放送：３セグメント）とこのデジタルカメラ１で撮影された画像データであり、これらは後述するようにモードに応じて入力される。したがって、バッファ３１は、モードの切替に連動し、当該データが１６：９のアスペクト比か、４：３のアスペクト比かに応じて、書き込み領域割当回路３０２に表示部１１（各表示画素）に対し実行するドライバの表示領域を出力する。そして、書き込み領域割当回路３０２からの出力信号に応じて、アスペクト比が１６：９の映像データである場合には、画像表示用ドライバ３０３が動作する。しかし、デジタルカメラ１で撮影されたアスペクト比が４：３の映像データである場合には、画像表示用ドライバ３０３は動作せず、画像表示用ドライバ３０３が動作し、このとき、４：３のアスペクト比表示により余る領域はブラックで表示される。
【００２８】
以上の構成に係る本実施の形態において、デジタルカメラ１の電源がオン状態になると、制御部２９は、プログラムＲＯＭ２８に格納されているプログラムに基づき、図６のフローチャートに従って処理を実行する。すなわち、レンズバリア検出部１６１からの出力信号に基づきレンズバリア１６が閉まっているか否かを判断する（ステップＳ１）。レンズバリア１６が開いている場合には（ステップＳ１；ＮＯ）、カメラモードであると判定し、４：３のアスペクト比でバッファ３１のバッファエリアを設定する（ステップＳ２）。引き続き、撮像デバイス３３、ＤＳＰ３２、画像圧縮伸張処理部２２からなるカメラモジュールを起動させて、表示部１１にモニター表示する。これにより、表示部１１には、レンズ１６０により撮像デバイス３３上に結像された被写体画像が、図３（ｃ）に斜線で示したアスペクト比４：３で表示される。
【００２９】
次に、シャッターキー１４の操作を検出したか否かを判断し（ステップＳ４）、これを検出しない場合にはレンズバリア１６を閉じたことを検出したか否かを判断し（ステップＳ５）、両ステップＳ４、Ｓ５のいずれかの判断がＹＥＳとなるまで、Ｓ３→Ｓ４→Ｓ５→Ｓ３のループを繰り返す。そして、この間にシャッターキー１４の操作が検出された場合には、このとき撮像デバイス３３、ＤＳＰ３２を介してデジタル処理された画像データを取り込み（ステップＳ６）、この画像データを画像圧縮伸張処理部２２にて圧縮処理して、日付をファイル名にしてファイル化する（ステップＳ７）。さらに、この画像ファイルをＲＡＭ２７の画像メモリに保存し（ステップＳ８）、ステップＳ３に戻る。
【００３０】
他方、前記ループを繰り返し実行している状態においてレンズバリア１６が閉じたことを検出した場合（ステップＳ５；ＹＥＳ）、又はステップＳ１でレンズバリア１６が閉じていると判断した場合には、ビューワモードであると判定し、ビューワモード処理を実行する（ステップＳ９）。また、このビューワモード処理を終了する都度、レンズバリア１６が開いたことを検出したか否かを判断し（ステップＳ１０）、レンズバリア１６が閉じている限りビューワモード処理を継続し、レンズバリア１６が開いた時点でカメラモードに移行したものと判定して、ステップＳ２からの処理を実行する。
【００３１】
図７は、前記ビューワモード処理（ステップＳ９）の詳細を示すフローチャートである。すなわち、ユーザによるロータリースイッチ１５に対する操作に基づき、放送視聴モードとカメラ画像再生モードとのいずれのモード選択が検出されたか否かを判断する（ステップＳ１１）。この判断の結果、放送視聴モードの設定が検出された場合には、１６：９のアスペクト比をバッファ３１のバッファエリアとして設定する（ステップＳ１２）。引き続き、アンテナ１００、チューナ１８、Ａ／Ｄコンバータ１９、復調処理部２０、信号処理部２１を起動させるとともに（ステップＳ１３）、映像伸張処理部２３を起動させて（ステップＳ１４）、表示部１１に映像を全画面で再生表示させる（ステップＳ１５）。これにより、アスペクト比１６：９からなる表示部１１に、受信したデジタル放送波の映像データに基づく映像が図３（ａ）に斜線で示したように、全画面表示されるとともに、スピーカ４１、４２からは音声データに基づくＬＲ各音声が放音される。
【００３２】
次に、この放送視聴モードにおいてシャッターキー１４の操作が検出されたか否かを判断し（ステップＳ１６）、シャッターキー１４の操作が検出されない場合には、ロータリースイッチ１５によるロート操作が検出されたか否かを判断する（ステップＳ１７）。ロータリースイッチ１５によるロート（回転）操作が検出されない場合にはステップＳ１５に戻り、検出された場合には対応するサブバンドのセグメント信号を抽出して（ステップＳ１８）、映像再生表示を行い（ステップＳ１９）、ステップＳ１６に戻る。
【００３３】
一方、ステップＳ１１での判断の結果、カメラ画像再生モードの選択が検出された場合には、画像圧縮伸張処理部２２を起動させる（ステップＳ２０）。引き続き、ＲＡＭ２７の画像メモリに格納されている画像ファイルの縮小画像を表示部１１に一覧表示させる（ステップＳ２１）。なお、このときバッファ１３のバッファエリアの設定は１６：９のままとし、よって、アスペクト比１６：９からなる表示部１１の全画面領域を有効利用して、画像ファイルの縮小画像を見易く一覧表示することができる。
【００３４】
次に、一覧表示よりいずれかの縮小画像がロータリースイッチ１５の操作により選択されるまで待機し（ステップＳ２２）、いずれかの縮小画像が選択されたならば、ＲＡＭ２７の画像メモリから選択された縮小画像に対する本画像データを読み出し、画像圧縮伸張処理部２２にて伸張処理させる（ステップＳ２３）。さらに、この時点で４：３のアスペクト比をバッファ３１のバッファエリアとして設定し（ステップＳ２４）、前記本画像データに基づく本画像を表示部１１に表示させる（ステップＳ２５）。これにより、表示部１１には選択された画像が図３（ｄ）に示したように、アスペクト比４：３で表示されるとともに、表示部１１において残余する部分はブラック表示される。
【００３５】
次に、このカメラ画像再生モードにおいてシャッターキー１４の操作が検出されたか否かを判断し（ステップＳ２６）、シャッターキー１４の操作が検出されない場合には、ロータリースイッチ１５によるロート（回転）操作が検出されたか否かを判断する（ステップＳ２７）。ロータリースイッチ１５によるロート（回転）操作が検出されない場合にはステップＳ２５に戻り、検出された場合には次の縮小画像に対応する本画像データを読み出し、画像圧縮伸張処理部２２にて伸張処理させる（ステップＳ２８）。さらに、この本画像データに基づく本画像を表示部１１に表示させる（ステップＳ２９）。したがって、カメラ画像再生モードにおいて所望の画像を表示させた後ロータリースイッチ１５を操作することにより、順次画像メモリに格納されている画像データに基づく画像を、当該画像と同一のアスペクト比４：３で表示部１１に順次表示させることができる。
【００３６】
そして、ステップＳ２６でシャッターキー１４の操作が検出された場合、又は前述のステップＳ１６でシャッターキー１４の操作が検出された場合には、図６に示したフローチャートのステップＳ９にリターンする。
【００３７】
なお、本実施の形態においてはデジタル地上波放送受信機能を備えたデジタルカメラに本発明を適用した場合を示したが、同機能を備えたカメラ付き携帯電話やカメラ付きＰＤＡに本発明を適用するようにしてもよい。
【図面の簡単な説明】
【００３８】
【図１】本発明の一実施の形態を適用しシステムのシステム構成図である。
【図２】ＯＦＤＭ方式における搬送波を示す概念図である。
【図３】本実施の形態に係るデジタルカメラの外観図であり、（ａ）はレンズバリアを閉じた時の液晶面（裏面）側、（ｂ）はレンズバリアを閉じた時の正面側、（ｃ）はレンズバリアを開いた時の液晶面（裏面）側、（ｄ）はレンズバリアを開いた時の正面側を各々示す図である。
【図４】デジタルカメラの回路構成を示すブロック図である。
【図５】表示ドライバの詳細を示すブロック図である。
【図６】全体的な処理手順を示すフローチャートである。
【図７】ビューワモード処理の詳細を示すフローチャートである。
【符号の説明】
【００３９】
１    デジタルカメラ
２    放送アンテナ
３    放送局
４    映像データベース
５    ＷＷＷ
１１    表示部
１３    バッファ
１４    シャッターキー
１５    ロータリースイッチ
１６    レンズバリア
１８    チューナ
１９    Ａ／Ｄコンバータ
２０    復調処理部
２１    信号処理部
２２    画像圧縮伸張処理部
２３    映像伸張処理部
２４    オーディオ信号処理部
２７    ＲＡＭ
２８    プログラムＲＯＭ
２９    制御部
３０    表示ドライバ
３１    バッファ
３２    ＤＳＰ
３３    撮像デバイス
１００    アンテナ
１６０    レンズ
１６１    レンズバリア検出部
【図１】
2005142688.tif 000003
【図２】
2005142688.tif 000004
【図３】
2005142688.tif 000005
【図４】
2005142688.tif 000006
【図５】
2005142688.tif 000007
【図６】
2005142688.tif 000008
【図７】
2005142688.tif 000009